(57)【特許請求の範囲】
【請求項１】
ネットワーク上のネットワーク通信制御装置間で電子メール送受信及び電話による通話を構成するネットワーク通信制御システムであって、ネットワークに接続されるとともに１つの電話番号とメールアドレス及びＩＰアドレスからなる２つのアドレスを対応づけた対応テーブルを有するゲートキーパーと、前記ネットワーク通信制御装置に接続され電話による通話が可能なファクシミリ装置と、前記ファクシミリ装置から電話番号が入力されたら前記ゲートキーパーに問い合わせて対応するメールアドレス及びＩＰアドレスを取得し、その後、前記ファクシミリ装置からＣＮＧ（Ｃａｌｌｉｎｇ  ｔｏｎｅ）信号を検出した場合は、前記ファクシミリ装置からのファクシミリデータを電子メールフォーマットに変換して該取得したメールアドレス宛に電子メール送信し、前記ファクシミリ装置からＣＮＧ（Ｃａｌｌｉｎｇ  ｔｏｎｅ）信号を検出しない場合は、該取得したＩＰアドレスを用いて、前記ファクシミリ装置からの音声データを音声パケット化して他の装置に送信するとともにパケット化したデータを受信して音声データに変換するネットワーク通信制御装置とを備えることを特徴とするネットワーク通信制御システム。
【請求項２】
電話による通話が可能なファクシミリ装置並びにネットワークに接続され、他の装置との間で電子メールの送受信及び電話による通話を構成するネットワーク通信制御装置であって、前記ファクシミリ装置から電話番号が入力されたら、ネットワークに接続されるとともに１つの電話番号とメールアドレス及びＩＰアドレスからなる２つのアドレスを対応づけた対応テーブルを有するゲートキーパーに問い合わせて対応するメールアドレス及びＩＰアドレスを取得し、その後、前記ファクシミリ装置からＣＮＧ（Ｃａｌｌｉｎｇ  ｔｏｎｅ）信号を検出した場合は、前記ファクシミリ装置からのファクシミリデータを電子メールフォーマットに変換して他の装置に電子メール送信し、前記ファクシミリ装置からＣＮＧ（Ｃａｌｌｉｎｇ  ｔｏｎｅ）信号を検出しない場合は、前記ファクシミリ装置からの音声データをパケット化して他の装置に送信するとともにパケット化したデータを受信して音声データに変換することを特徴とするネットワーク通信制御装置。
【請求項３】
ネットワーク上のネットワーク通信制御手段と他の通信端末との間でファクシミリ通信と電話による通話を行うネットワーク通信方法であって、ネットワーク上のゲートキーパーに１つの電話番号とメールアドレス及びＩＰアドレスからなる２つのアドレスを対応づけた対応テーブルを予め格納しておき、電話による通話が可能なファクシミリ装置が前記ネットワーク通信制御手段に接続されており、前記ファクシミリ装置から前記ネットワーク通信制御手段に電話番号が入力されたら前記ゲートキーパーに問い合わせて対応するメールアドレス及びＩＰアドレスを取得し、その後、前記ネットワーク通信制御手段は、前記ファクシミリ装置からＣＮＧ（Ｃａｌｌｉｎｇ  ｔｏｎｅ）信号を検出した場合は、前記ファクシミリ装置からのファクシミリデータを電子メールフォーマットに変換して他の通信端末に電子メール送信し、前記ネットワーク通信制御手段は、前記ファクシミリ装置からＣＮＧ（Ｃａｌｌｉｎｇ  ｔｏｎｅ）信号を検出しない場合は、前記ファクシミリ装置からの音声データをパケット化して他の通信端末に送信するとともにパケット化したデータを受信して音声データに変換することを特徴とするネットワーク通信方法。
【発明の詳細な説明】
【０００１】
【発明の属する技術分野】
本発明は、ファクシミリ装置を用いてＬＡＮやインターネットを介するネットワークファクシミリ通信を行うためのネットワーク通信制御システム、ネットワーク通信制御装置、ネットワーク通信装置、及びネットワーク通信方法に関するものである。
【０００２】
【従来の技術】
近年、インターネットの普及に伴い、インターネットを利用したインターネットファクシミリが提案されている。例えば、本願と同一出願人による特許第３１３３２９７号では、一般電話機やファクシミリ装置等のアナログの通信端末を接続してインターネット電話やインターネットファクシミリを行うことを可能としたネットワーク通信制御装置が提案されている。
【０００３】
この通信制御装置によれば、一般のファクシミリ装置とネットワーク（インターネット）とに接続され、そのファクシミリ装置からファクシミリ送信されたデータをＴＩＦＦ形式のファイルに変換して電子メールに添付し、相手のインターネットファクシミリ装置、コンピュータまたは送信側と同様なネットワーク通信制御装置などの他の通信端末に送るようにしている。また、ネットワークを介して他の通信端末から電子メールデータを受信し、このデータをファクシミリデータに変換し、接続されたファクシミリ装置に対してファクシミリ送信をすることもできる。
【０００４】
このとき、電子メールの送り先を指定するのに一般のファクシミリ装置では電話番号しか登録できないため、この電話番号とメールアドレスとの対応テーブルをネットワーク通信制御装置に設定し、接続されたファクシミリ装置から電話番号を入力すると、対応するメールアドレスに上記電子メールを送るようにしていた。
【０００５】
【発明が解決しようとする課題】
しかしながら、ネットワークに多数の上記ネットワーク通信制御装置が接続されている場合、上記電話番号とメールアドレスとの対応テーブルを各ネットワーク通信制御装置毎に設定しなければならず、その設定作業が厄介であった。また、ネットワーク通信制御装置及びファクシミリ装置を新規にネットワークに接続するときにはその電話番号及びメールアドレスを全てのネットワーク通信制御装置のテーブルに対して書き加えると共に新規のネットワーク通信制御装置に上記電話番号とメールアドレスとの対応テーブルを設定しなければならず、電話番号とメールアドレスとの対応が変わったときにも全てのネットワーク通信制御装置の対応テーブルを書き換えなければならず、それらの作業も厄介になりがちであった。
【０００６】
本発明は、上記したような従来技術の問題点を解決するべく案出されたものであり、ファクシミリ装置が接続されると共にこのファクシミリ装置からのファクシミリデータを電子メールフォーマットに変換して他の通信端末に電子メール送信するべくネットワークに接続されたネットワーク通信制御装置のイニシャライズ及びメンテナンス容易性を向上することが可能なネットワーク通信制御システム、ネットワーク通信制御装置、ネットワーク通信装置、及びネットワーク通信方法を提供することを目的とする。
【０００７】
【課題を解決するための手段】
上記した目的を達成するべく、本発明では、ネットワーク上のネットワーク通信制御装置間で電子メール送受信及び電話による通話を構成するネットワーク通信制御システムであって、ネットワークに接続されるとともに１つの電話番号とメールアドレス及びＩＰアドレスからなる２つのアドレスを対応づけた対応テーブルを有するゲートキーパーと、前記ネットワーク通信制御装置に接続され電話による通話が可能なファクシミリ装置と、前記ファクシミリ装置から電話番号が入力されたら前記ゲートキーパーに問い合わせて対応するメールアドレス及びＩＰアドレスを取得し、その後、前記ファクシミリ装置からＣＮＧ（Ｃａｌｌｉｎｇ  ｔｏｎｅ）信号を検出した場合は、前記ファクシミリ装置からのファクシミリデータを電子メールフォーマットに変換して該取得したメールアドレス宛に電子メール送信し、前記ファクシミリ装置からＣＮＧ（Ｃａｌｌｉｎｇ  ｔｏｎｅ）信号を検出しない場合は、該取得したＩＰアドレスを用いて、前記ファクシミリ装置からの音声データを音声パケット化して他の装置に送信するとともにパケット化したデータを受信して音声データに変換するネットワーク通信制御装置とを備えることを特徴とするネットワーク通信制御システムを提供する。これにより、各ネットワーク通信制御装置に対応テーブルを必要とせず、ゲートキーパーの対応テーブルを更新するのみで、ネットワーク通信制御装置及びファクシミリ装置を新規にネットワークに接続するときや、電話番号とメールアドレスとの対応が変わったときにも容易に対応できる。また、インターネット電話による通話後に連続してファクシミリ送信することができ、使い勝手が向上する。特にＣＮＧ（Ｃａｌｉｎｇ  ｔｏｎｅ）信号を検出したら前記ファクシミリデータを変換したデータを有する電子メールを前記メールアドレス宛に送信するようになっていると良い。
【０００８】
また、上記した目的を達成するべく、本発明では、電話による通話が可能なファクシミリ装置並びにネットワークに接続され、他の装置との間で電子メールの送受信及び電話による通話を構成するネットワーク通信制御装置であって、前記ファクシミリ装置から電話番号が入力されたら、ネットワークに接続されるとともに１つの電話番号とメールアドレス及びＩＰアドレスからなる２つのアドレスを対応づけた対応テーブルを有するゲートキーパーに問い合わせて対応するメールアドレス及びＩＰアドレスを取得し、その後、前記ファクシミリ装置からＣＮＧ（Ｃａｌｌｉｎｇ  ｔｏｎｅ）信号を検出した場合は、前記ファクシミリ装置からのファクシミリデータを電子メールフォーマットに変換して他の装置に電子メール送信し、前記ファクシミリ装置からＣＮＧ（Ｃａｌｌｉｎｇ  ｔｏｎｅ）信号を検出しない場合は、前記ファクシミリ装置からの音声データをパケット化して他の装置に送信するとともにパケット化したデータを受信して音声データに変換することを特徴とするネットワーク通信制御装置を提供する。
【００１０】
また、上記した目的を達成するべく、本発明では、ネットワーク上のネットワーク通信制御手段と他の通信端末との間でファクシミリ通信と電話による通話を行うネットワーク通信方法であって、ネットワーク上のゲートキーパーに１つの電話番号とメールアドレス及びＩＰアドレスからなる２つのアドレスを対応づけた対応テーブルを予め格納しておき、電話による通話が可能なファクシミリ装置が前記ネットワーク通信制御手段に接続されており、前記ファクシミリ装置から前記ネットワーク通信制御手段に電話番号が入力されたら前記ゲートキーパーに問い合わせて対応するメールアドレス及びＩＰアドレスを取得し、その後、前記ネットワーク通信制御手段は、前記ファクシミリ装置からＣＮＧ（Ｃａｌｌｉｎｇ  ｔｏｎｅ）信号を検出した場合は、前記ファクシミリ装置からのファクシミリデータを電子メールフォーマットに変換して他の通信端末に電子メール送信し、前記ネットワーク通信制御手段は、前記ファクシミリ装置からＣＮＧ（Ｃａｌｌｉｎｇ  ｔｏｎｅ）信号を検出しない場合は、前記ファクシミリ装置からの音声データをパケット化して他の通信端末に送信するとともにパケット化したデータを受信して音声データに変換することを特徴とするネットワーク通信方法を提供する。
【００１１】
【発明の実施の形態】
以下に、本発明の好適な実施形態について添付の図面を参照して詳細に説明する。
【００１２】
図１は、ファクシミリ装置としての例えばファクシミリ付き電話機２を接続した本発明の第１の実施形態に於けるネットワーク通信制御装置としてのインターネット通信制御装置１がＬＡＮ４を介してインターネット５に接続された状態を示す構成図である。インターネット５には他のＬＡＮを介して他のインターネット通信制御装置１や、インターネットファクシミリ機能を有するコンピュータ６、専用のインターネットファクシミリ装置７、ＩＰアドレス及び電子メールアドレスと電話番号とを対応させるゲートキーパー８等が接続され、本発明によるインターネット通信制御システムを構成している。
【００１３】
図２は、インターネット通信制御装置１の要部構成を示すブロック図である。この通信制御装置１は、ファクシミリ処理を行うべくファクシミリ付き電話機２にインタフェース部１１を介して接続するファクシミリ通信制御部１２と、ＬＡＮ４に接続するＬＡＮ４側との通信を制御するためのネットワーク制御部１３と、ＬＡＮ４側とＳＭＴＰプロトコルに従って電子メールを送受信するためのＳＭＴＰ送受信処理部１４と、ファクシミリ通信制御部１２とＳＭＴＰ送受信処理部１４とに接続され、ファクシミリ付き電話機２からのファクシミリデータをメールデータに変換すると共にＬＡＮ４側からのメールデータをファクシミリデータに変換するためのメールデータ生成／展開部１５とを有している。また、電話による通話処理を行うべく、ファクシミリ付き電話機２にインタフェース部１１を介して接続して、音声を所定時間毎にパケット化すると共にパケット化されてＬＡＮ４側から送られた音声を展開するためのパケット生成／展開部１６と、インターネット電話手順を後記標準手順に従い制御するべく上記パケット生成／展開部１６及びネットワーク制御部１３に接続されたＶＯＩＰ処理部１７とを有している。ここで、ファクシミリ付き電話機２から電話による通話を行うのか、ファクシミリ送信を行うのかを判断するためにファクシミリ付き電話機２にインタフェース部１１を介してＣＮＧ（Ｃａｌｉｎｇ  ｔｏｎｅ）検知部１８が接続され、ファクシミリ付き電話機２からのＣＮＧを検知したら該ファクシミリ付き電話機２を上記ファクシミリ処理を行うべくファクシミリ通信制御部１２、メールデータ生成／展開部１５、ＳＭＴＰ送受信処理部１４側で処理し（ファクシミリモード）、ファクシミリ付き電話機２からのＣＮＧを検知しなかったら電話による通話処理を行うべくパケット生成／展開部１６及びＶＯＩＰ処理部１７側で処理するようになっている。
【００１４】
一方、ファクシミリ付き電話機２にはインタフェース部１１を介して電話番号取得部１９が接続されている。この電話番号取得部１９は、ファクシミリ付き電話機２から入力された電話番号を記憶部２０に一時的に記憶し、ゲートキーパー問い合わせ部２１及びネットワーク制御部１３及びＬＡＮ４、インターネット５を介してゲートキーパー８に入力された電話番号に対応するＩＰアドレス及び／またはメールアドレスを問い合わせ、これを取得するようになっている。云うまでもなく、記憶部２０にはメールデータ生成／展開部１５、パケット生成／展開部１６も接続され、これらで生成／展開したデータを記憶するようになっている。
【００１５】
尚、ファクシミリ付き電話機２にはインタフェース部１１を介してオフフック検知部２２及びＤＴ（Ｄｉａｌ  ｔｏｎｅ）発生部２３も接続され、ファクシミリ付き電話機２がオフフックしたら、ファクシミリ付き電話機２からの発信を促すべくダイヤルトーンをファクシミリ付き電話機２に送るようになっている。
【００１６】
以下に、図３〜図５を参照して当該インターネット通信制御装置１の作動要領の要部、特に電話及びファクシミリ送信手順について説明する。まず、図４に示すように、各インターネット通信制御装置１からゲートキーパー８へのＧＲＱ（ゲートキーパー要求）コマンド、ゲートキーパー８から各インターネット通信制御装置１へのＧＣＦ（ゲートキーパー確認）コマンド、各インターネット通信制御装置１からゲートキーパー８へのＲＲＱ（登録要求）コマンド、ゲートキーパー８から各インターネット通信制御装置１へのＲＣＦ（登録確認）コマンドにより、通常の送受信が行われる前に、予めファクシミリ付き電話機２の電話番号及びインターネット通信制御装置１側の電話番号とそれに対応するＩＰアドレス及びメールアドレスが登録されているものとする。
【００１７】
そして、通常時、図３及び図４に示すように、インターネット通信制御装置１のフックオフ検知部２２でオフフックが検知されると（ステップ１）、ＤＴ（Ｄｉａｌ  ｔｏｎｅ）発生部２３からダイヤルトーンをファクシミリ付き電話機２に送り（ステップ２）、ＤＴＭＦ受信モードとする（図４のＤＴ、ステップ３）。そして、ステップ４でＤＴＭＦで受信した電話番号を記憶部２０に記憶し、ネットワーク制御部１３、ＬＡＮ４、インターネット５を介してゲートキーパー８に入力された電話番号に対応するＩＰアドレス及び／またはメールアドレスを問い合わせ（図４のＡＲＱ（呼受付判断要求）、ステップ５）、これを取得する（図４のＡＣＦ（呼受付判断確認）、ステップ６）。
【００１８】
ゲートキーパー８から送信側インターネット通信制御装置１にＡＣＦが返されると送信側インターネット通信制御装置１から受信側インターネット通信制御装置１にＳｅｔｕｐコマンドが送られ、受信側インターネット通信制御装置１とゲートキーパー８との間でＡＲＱ、ＡＣＦコマンドによる呼受付判断確認がなされ、受信側インターネット通信制御装置１から送信側インターネット通信制御装置１にＣｏｎｎｅｃｔコマンドが送られ、送信側インターネット通信制御装置１と受信側インターネット通信制御装置１との接続が確立する（図４のＡＲＱ、ＡＣＦ、Ｓｅｔｕｐ、Ｃｏｎｎｅｃｔ）。
【００１９】
ここで、図５に示すように、ゲートキーパー８には電話番号とＩＰアドレス及びメールアドレスとの対応テーブルが管理され、電話番号が送信されるとＩＰアドレス及びメールアドレスを返すようになっている。
【００２０】
そして、ステップ７にて、ＣＮＧ検知部１８にてファクシミリ付き電話機２からのＣＮＧを検知したか否かが判断され、ＣＮＧを検知しなかったら電話による通話が選択されたと判断してステップ８に進む。ステップ８では、取得したＩＰアドレスに接続してステップ９に進み、音声をパケット生成／展開部１６にてパケット化して接続したＩＰアドレスに送り、またはパケット化された音声を展開してファクシミリ付き電話機２に送り、そして、ステップ１０にてオンフックを検知するかステップ１１にてＣＮＧを検知するまで、ＩＴＵ−Ｔ  Ｈ．２４５、Ｈ．３２３、Ｇ．７２９に規定される手順に従い通話処理を行う（図４のＨ．２４５、Ｇ．７２９）。通話が終了し、ステップ１０にてオンフックを検知したら、図４に示すように、送信側インターネット通信制御装置１からゲートキーパー８へのＤＲＱコマンド、送信側インターネット通信制御装置１から受信側インターネット通信制御装置１へのＲｅｌｅａｓｅ  Ｃｏｍｐｌｅｔｅコマンド、受信側インターネット通信制御装置１からゲートキーパー８へのＤＲＱコマンド、ゲートキーパー８から送信側インターネット通信制御装置１へのＤＣＦコマンド、送信側インターネット通信制御装置１から受信側インターネット通信制御装置１へのＤｉｓｃｏｎｎｅｃｔコマンド、ゲートキーパー８から受信側インターネット通信制御装置１へのＤＣＦコマンドの授受等、通話終了処理を行い終了する。
【００２１】
一方、ステップ７またはステップ１１にてＣＮＧを検知したら、ファクシミリモードになり（ステップ１３）、ファクシミリ付き電話機２からファクシミリデータを受信し（図４のＧ３、ステップ１４）、記憶部２０に蓄積して（ステップ１５）、メールデータに変換する（ステップ１６）。そして、メールの宛先をステップ５、６で取得したメールアドレスにセットして（ステップ１７）、変換したメールデータを図示されないメールサーバ経由でＳＭＴＰプロトコルにより送信相手に送信し（図４のＲｅｌｅａｓｅ、ＳＭＴＰ、ステップ１８）、処理を終了する。受信側インターネット通信制御装置１に於いては、受信したメールデータをファクシミリデータに変換してそのインターネット通信制御装置１に接続されたファクシミリ装置を呼び出し、ファクシミリデータを送信する（図４のＣａｌｌ、Ｇ３、ステップ１４）。その後、上記通話終了処理を行い終了する。
【００２２】
尚、上記構成はファクシミリ付き電話機２がインターネット通信制御装置１に接続された場合を示したが、通話を前提としないファクシミリ装置が接続されている場合には、インターネット通信制御装置１に於けるパケット生成／展開部１６及びＶＯＩＰ処理部１７が不要となると共に上記ステップ８〜ステップ１１が不要となる。それ以外の構成及び処理手順は上記同様である。
【００２３】
図６は、本発明の第２の実施形態を示す図２と同様な図であり、図２と同様な部分には同一の符号を付し、その詳細な説明を省略する。本構成はインターネット通信制御装置に代えてファクシミリ及び電話機能付きインターネット（ネットワーク）通信装置３１をＬＡＮ４に接続したものである。
【００２４】
ファクシミリ送信処理と同様な機能を実現するべく、各種設定、宛先（電話番号）等を入力するための操作部３２と、原稿の画像を読み取るためのスキャナ部３３とが記憶部２０に接続され、スキャナ部３３で読み取った画像データを記憶部２０に記憶し、メールデータ生成／展開部１５にてメールデータに変換し、ＳＭＴＰ送受信処理部１４及びネットワーク制御部１３を介して送信するようになっている。また、ファクシミリ受信処理と同様な機能を実現するべく、メールデータ生成／展開部１５にプリンタ部３４が接続され、受信したメールデータを展開して印刷するようになっている。更に送受話部３５がパケット生成／展開部１６に接続され、ＶＯＩＰ処理部１７及びネットワーク制御部１３を介してインターネット電話を行い得るようになっている。ゲートキーパー８への問い合わせ等、それ以外の構造は第１の実施形態と同様である。なお、この構成では、ネットワーク制御部１３、ＳＭＴＰ送受信処理部１４、メールデータ生成／展開部１５、パケット生成／展開部１６、ＶＯＩＰ処理部１７、記憶部２０、及びゲートキーパー問い合わせ部２１がネットワーク通信制御手段に相当する。
【００２５】
【発明の効果】
上記した説明により明らかなように、本発明によるネットワーク通信制御システムによれば、ネットワーク上のネットワーク通信制御装置間で電子メール送受信及び電話による通話を構成するネットワーク通信制御システムであって、ネットワークに接続されるとともに１つの電話番号とメールアドレス及びＩＰアドレスからなる２つのアドレスを対応づけた対応テーブルを有するゲートキーパーと、前記ネットワーク通信制御装置に接続され電話による通話が可能なファクシミリ装置と、前記ファクシミリ装置から電話番号が入力されたら前記ゲートキーパーに問い合わせて対応するメールアドレス及びＩＰアドレスを取得し、その後、前記ファクシミリ装置からＣＮＧ（Ｃａｌｌｉｎｇ  ｔｏｎｅ）信号を検出した場合は、前記ファクシミリ装置からのファクシミリデータを電子メールフォーマットに変換して該取得したメールアドレス宛に電子メール送信し、前記ファクシミリ装置からＣＮＧ（Ｃａｌｌｉｎｇ  ｔｏｎｅ）信号を検出しない場合は、該取得したＩＰアドレスを用いて、前記ファクシミリ装置からの音声データを音声パケット化して他の装置に送信するとともにパケット化したデータを受信して音声データに変換するネットワーク通信制御装置とを備えることで、各ネットワーク通信制御装置に対応テーブルを必要とせず、ゲートキーパーの対応テーブルを更新するのみで、ネットワーク通信制御装置及びファクシミリ装置を新規にネットワークに接続するときや、電話番号とメールアドレスとの対応が変わったときにも容易に対応できるため、ネットワーク通信制御装置のイニシャライズ及びメンテナンスの容易性が向上する。また、インターネット電話による通話後に連続してファクシミリ送信することができ、使い勝手が向上する。
【図面の簡単な説明】
【図１】ファクシミリ付き電話機を接続した本発明によるネットワーク通信制御装置としてのインターネット通信制御装置がＬＡＮを介してインターネットに接続された状態を示すネットワーク通信制御システムの構成図。
【図２】本発明が適用された第１の実施形態に於けるインターネット通信制御装置の要部構成を示すブロック図。
【図３】本発明が適用されたインターネット通信制御システム及び通信制御装置の作動要領を示すフローチャート。
【図４】本発明が適用されたインターネット通信制御システム及び通信制御装置の作動要領を示すシーケンス図。
【図５】本発明が適用されたインターネット通信制御システムを構成するゲートキーパーで管理される対応テーブルを示す概念図。
【図６】本発明が適用された第２の実施形態に於けるインターネット通信装置の要部構成を示すブロック図。
【符号の説明】
１  インターネット通信制御装置
２  ファクシミリ付き電話機
４  ＬＡＮ
５  インターネット
６  コンピュータ
７  インターネットファクシミリ装置
８  ゲートキーパー
１１  インタフェース部
１２  ファクシミリ通信制御部
１３  ネットワーク制御部
１４  ＳＭＴＰ送受信処理部
１５  メールデータ生成／展開部
１６  パケット生成／展開部
１７  ＶＯＩＰ処理部
１８  ＣＮＧ検知部
１９  電話番号取得部
２０  記憶部
２１  ゲートキーパー問い合わせ部
２２  フックオフ検知部
２３  ＤＴ発生部
３１  インターネット通信装置
３２  操作部
３３  スキャナ部
３４  プリンタ部
３５  送受話部
【図１】
0003864076.tif 000002
【図２】
0003864076.tif 000003
【図３】
0003864076.tif 000004
【図４】
0003864076.tif 000005
【図５】
0003864076.tif 000006
【図６】
0003864076.tif 000007